(57)【特許請求の範囲】
【請求項１】
ケーシング（20）と、
前記ケーシング（20）の内部に設けられた、水を受けるトレイ（50）と、
前記トレイ（50）の内表面を含む撮影対象を撮影して画像データを取得する撮影装置（70）と、
前記撮影装置（70）の撮影対象に対して４００ｎｍ以上且つ５００ｎｍ以下の波長域に最大ピーク波長を有する可視光を照射する照明装置（72）と、を備え、
前記トレイ（50）の内表面の色は、白色である
ことを特徴とする空気処理装置。
【請求項２】
請求項１に記載された空気処理装置において、
前記トレイ（50）の内表面には底面（50a）と側面（50b）とが含まれ、
前記撮影装置（70）は、前記底面（50a）を撮影する
ことを特徴とする空気処理装置。
【請求項３】
請求項２に記載された空気処理装置において、
前記トレイ（50）の底面（50a）には、下方に向けて凹んだ凹部（53）が設けられ、
前記撮影装置（70）は、前記凹部（53）を撮影する
ことを特徴とする空気処理装置。
【請求項４】
請求項１〜３のいずれか１項に記載された空気処理装置において、
前記トレイ（50）の上方に配置され、前記トレイ（50）で受けた水を排出するポンプ（60）をさらに備え、
前記ポンプ（60）の少なくとも一部は、前記撮影装置（70）の撮影対象に含まれる
ことを特徴とする空気処理装置。
【請求項５】
請求項１〜４のいずれか１項に記載された空気処理装置において、
前記照明装置（72）は、白色発光ダイオードである
ことを特徴とする空気処理装置。
【発明の詳細な説明】
【技術分野】
【０００１】
本開示は、空気処理装置に関する。
【背景技術】
【０００２】
従来から、ケーシングの内部を撮影する撮影装置を備えた空気処理装置が知られている。この空気処理装置において、撮影装置は、例えばドレンパンなどの構成部品を撮影対象として撮影する。サービス業者などは、撮影装置の撮影により取得される画像データに基づき、撮影対象の汚れの状態を観察できる。そのような空気処理装置の一例は、特許文献１に開示されている。
【先行技術文献】
【特許文献】
【０００３】
【特許文献１】特開２０１９−０３９６５７号公報
【発明の概要】
【発明が解決しようとする課題】
【０００４】
ところで、ドレンパンなどの水を受けるトレイの内表面に付く汚れとしては、バイオフィルムと呼ばれる微生物由来の汚れが多く見られる。バイオフィルムの色は、淡いピンク色であったり、淡い茶色であったり、淡い黄色であったりする。そのため、従来の空気処理装置において、撮影装置の撮影により取得される画像データでは、当該トレイの内表面の汚れの状態を特定し難いことがある。
【０００５】
本開示の目的は、空気処理装置において、撮影装置の撮影により取得される画像データに基づき、トレイの内表面の汚れの状態を特定し易くすることにある。
【課題を解決するための手段】
【０００６】
本開示の第１の態様は、空気処理装置を対象とし、ケーシング（20）と、ケーシング（20）の内部に設けられた、水を受けるトレイ（50）と、トレイ（50）の内表面を含む撮影対象を撮影して画像データを取得する撮影装置（70）と、撮影装置（70）の撮影対象に対して４００ｎｍ以上且つ５００ｎｍ以下の波長域に最大ピーク波長を有する可視光を照射する照明装置（72）とを備える。前記トレイ（50）の内表面の色は、白色である。ここで、「白色」とは、白色だけでなく、オフホワイトなどの僅かに色味が感じられる白色も含む。
【０００７】
第１の態様では、照明装置（72）が撮影装置（70）の撮影対象に可視光を照射する。照明装置（72）により照射される可視光は、４００ｎｍ以上且つ５００ｎｍ以下の波長域に最大ピーク波長を有する可視光である。トレイ（50）の内表面に付き易い淡いピンク色や淡い茶色、淡い黄色の汚れは、照明装置（72）により照射される可視光の最大ピーク波長成分を殆ど吸収する。ゆえに、撮影装置（70）の撮影により取得される画像データでは、当該汚れの存在する部分の明度が当該汚れの存在しない部分の明度に比べて低くなる。それにより、画像データに基づき、トレイ（50）の内表面の汚れの状態を特定し易くなる。
【０００８】
第１の態様では、撮影装置（70）の撮影により取得される画像データにおいて、汚れの付いていないトレイ（50）の内表面を写した部分の明度が比較的高くなる。そのことで、当該画像データでは、トレイ（50）の内表面において淡いピンク色や淡い茶色、淡い黄色の汚れの存在する部分と、当該汚れの存在しない部分との明度の差異が顕著になる。これにより、画像データ上でトレイ（50）の内表面に付いた汚れを際立たせることができる。
【０００９】
本開示の第２の態様は、第１の態様の空気処理装置において、トレイ（50）の内表面に底面（50a）と側面（50b）とが含まれる、空気処理装置である。撮影装置（70）は、トレイ（50）の底面（50a）を撮影する。
【００１０】
第２の態様では、撮影装置（70）によりトレイ（50）の底面（50a）が撮影される。トレイ（50）の底面（50a）には、水が溜まり易いためバイオフィルムなどの汚れが付き易い。よって、トレイ（50）の底面（50a）を撮影することで、当該撮影により取得される画像データに基づき、トレイ（50）の内表面の汚れの状態を把握できる。
【００１１】
本開示の第３の態様は、第２の態様の空気処理装置において、トレイ（50）の底面（50a）に、下方に向けて凹んだ凹部（53）が設けられている、空気処理装置である。そして、第３の態様の空気処理装置において、撮影装置（70）は、凹部（73）を撮影する。
【００１２】
第３の態様では、撮影装置（70）によりトレイ（50）の底面（50a）に設けられた凹部（53）が撮影される。凹部（53）は、トレイ（50）の底面（50a）のなかでも低い部分を形成し、水が溜まり易いためバイオフィルムなどの汚れが付き易い。よって、トレイ（50）の底面（50a）に設けられた凹部（53）を撮影することで、当該撮影により取得される画像データに基づき、トレイ（50）の内表面の汚れが付き易い箇所の状態を把握できる。
【００１３】
本開示の第４の態様は、第１〜第３の態様のいずれか１つの空気処理装置において、トレイ（50）の上方に配置され、トレイ（50）で受けた水を排出するポンプ（60）をさらに備える、空気処理装置である。そして、第４の態様の空気処理装置において、ポンプ（60）の少なくとも一部は、撮影装置（70）の撮影対象に含まれる。
【００１４】
第４の態様では、撮影装置（70）がポンプ（60）の少なくとも一部を撮影する。バイオフィルムなどの汚れは、トレイ（50）の上方に配置されたポンプ（60）にも付くことがある。よって、撮影装置（70）の撮影対象にポンプ（60）の少なくとも一部を含むことで、当該撮影により取得される画像データに基づき、ポンプ（60）の汚れの状態も把握できる。
【００１５】
本開示の第５の態様は、第１〜第４の態様のいずれか１つの空気処理装置において、照明装置（72）が白色発光ダイオード（ＬＥＤ：Light Emitting Diode）である、空気処理装置である。
【００１６】
第５の態様では、照明装置（72）として白色ＬＥＤを用いている。この白色ＬＥＤは、４００ｎｍ以上且つ５００ｎｍ以下の波長域に最大ピーク波長を有する白色光を発する。そのような白色光を照射した照明環境において撮影装置（70）の撮影により取得される画像データでは、トレイ（50）の内表面の汚れの状態について、淡いピンクや淡い茶色、淡い黄色の汚れだけでなく他の色の汚れも把握し易くなる。
【図面の簡単な説明】
【００１７】
【図１】図１は、実施形態１に係る空気調和装置の内部構造を示す平面図である。
【図２】図２は、実施形態１に係る空気調和装置の正面図である。
【図３】図３は、実施形態１に係る空気調和装置の内部構造を示す縦断面図である。
【図４】図４は、実施形態１に係る空気調和装置の正面側の概略構成を示す斜視図である。
【図５】図５は、実施形態１に係る点検蓋の内側の構造を示す斜視図である。
【図６】図６は、実施形態１に係るドレンパンの要部およびその周辺の概略構成を示す断面図である。
【図７】図７は、実施形態１に係る撮影システムの概略構成を示すブロック図である。
【図８】図８は、実施形態１に係る照明装置の照射する可視光のスペクトル分布特性を示すグラフである。
【図９】図９は、変形例２に係る撮影システムの概略構成を示すブロック図である。
【図１０】図１０は、実施形態２に係る空気調和装置の内部構造を示す平面図である。
【図１１】図１１は、実施形態２に係る空気調和装置の内部構造を示す縦断面図である。
【図１２】図１２は、実施形態２に係る加湿器を拡大して模式的に表した斜視図である。
【図１３】図１３は、実施形態３に係る空気調和装置の内部構造を示す縦断面図である。
【発明を実施するための形態】
【００１８】
《実施形態１》
実施形態１について説明する。
【００１９】
実施形態１に係る空気処理装置は、室内の少なくとも温度を調節する空気調和装置（1）である。空気調和装置（10）は、室内空気（RA）の温度を調節し、温度を調節した空気を供給空気（SA）として室内へ供給する。空気調和装置（10）は、冷房運転と、暖房運転とを行う。空気調和装置（10）は、ドレンパン（50）の内部を撮影し、撮影により取得した画像データをサービス業者やユーザに提供する。
【００２０】
空気調和装置（10）は、室内ユニット（11）と、室外ユニット（図示省略）とを備える。室内ユニット（11）は、天井裏の空間に設置される。室内ユニット（11）は、冷媒配管を介して室外ユニットに接続されている。この接続により、空気調和装置（10）には、冷媒回路が構成される。冷媒回路には、圧縮機、室外熱交換器、膨張弁および室内熱交換器（43）が接続される。冷媒回路では、冷媒が循環することで蒸気圧縮式の冷凍サイクルが行われる。
【００２１】
冷媒回路では、第１冷凍サイクルと第２冷凍サイクルとが切り換えて行われる。第１冷凍サイクルは、冷房運転時に行われる。第１冷凍サイクルを行っているときには、室外熱交換器が放熱器または凝縮器として機能し、室内熱交換器（43）が蒸発器として機能する。第２冷凍サイクルは、暖房運転時に行われる。第２冷凍サイクルを行っているときには、室内熱交換器（43）が放熱器または凝縮器として機能し、室外熱交換器が蒸発器として機能する。
【００２２】
〈室内ユニットの構成〉
室内ユニット（11）の概略の構成について、図１〜図４を参照しながら説明する。室内ユニット（11）は、天井裏に設置される。室内ユニット（11）は、ケーシング（20）と、ファン（40）と、室内熱交換器（43）と、ドレンパン（50）と、ドレンポンプ（60）と、電装品箱（16）と、撮影システム（S）とを備えている。ファン（40）、室内熱交換器（43）、ドレンパン（50）、ドレンポンプ（60）および電装品箱（16）は、ケーシング（20）の内部に収容されている。
【００２３】
〈ケーシング〉
ケーシング（20）は、直方体の中空箱形に形成されている。ケーシング（20）は、天板（21）、底板（22）、前板（23）、後板（24）、第１側板（25）および第２側板（26）を有している。前板（23）および後板（24）は、互いに対向している。第１側板（25）および第２側板（26）は、互いに対向している。
【００２４】
第１側板（25）には、吸込口（31）が形成されている。吸込口（31）には、吸込ダクト（図示省略）が接続されている。吸込ダクトの流入端は、室内空間に連通している。第２側板（26）には、吹出口（32）が形成されている。吹出口（32）には、吹出ダクト（図示省略）が接続されている。吹出ダクトの流出端は、室内空間に連通している。ケーシング（20）の内部において、吸込口（31）と吹出口（32）との間には、空気流路（33）が形成されている。
【００２５】
前板（23）は、メンテナンス用空間（15）に面している。メンテナンス用空間（15）は、サービス業者などの作業用のスペースである。前板（23）の吹出口（32）側には、点検口（27）が形成されている。点検口（27）は、前板（23）の上側寄りに位置している。点検口（27）には、点検蓋（28）が着脱可能に取り付けられる。サービス業者などは、点検蓋（28）を取り外すことで、点検口（27）を通じてケーシング（20）の内部を視認できる。
【００２６】
前板（23）の吹出口（32）側には、開口（23a）が形成されている。開口（23a）は、前板（23）の下部に位置している。開口（23a）の形状は、例えば矩形状である。ケーシング（20）の外部から見て開口（23a）の向こう側（ケーシング（20）の内方）には、ドレンパン（50）の点検窓（58a）が位置している。開口（23a）は、ドレンパン（50）の点検窓（58a）をケーシング（20）の外部に露出させている。
【００２７】
〈ファン〉
ファン（40）は、ケーシング（20）の内部の空気流路（33）における第１側板（25）側に配置されている。本実施形態では、３台のファン（40）が空気流路（33）に設けられている。各ファン（40）は、シロッコ型ファンである。３台のファン（40）は、回転軸（41）によって互いに連結されている。３台のファン（40）は、１つのモータ（42）によって駆動される。
【００２８】
〈室内熱交換器〉
室内熱交換器（43）は、ケーシング（20）の内部の空気流路（33）における第２側板（26）側に配置されている。室内熱交換器（43）は、例えばフィンアンドチューブ式の熱交換器である。本実施形態の室内熱交換器（43）は、斜め置きの姿勢で設けられている（図３参照）。第１冷凍サイクルを行っているときの室内熱交換器（43）は、空気を冷却する。その際、空気中の水分が結露し、凝縮水が発生する。第２冷凍サイクルを行っているときの室内熱交換器（43）は、空気を加熱する。
【００２９】
〈ドレンパン〉
ドレンパン（50）の詳細について、図１、図３、図４および図６を参照しながら説明する。ドレンパン（50）は、ケーシング（20）の内部の空気流路（33）における第２側板（26）側に配置されている。ドレンパン（50）は、ケーシング（20）の底板（22）に設置されている。ドレンパン（50）は、室内熱交換器（43）の下方に位置している。ドレンパン（50）は、水を受けるトレイの一例である。ドレンパン（50）は、ケーシング（20）の内部において室内熱交換器（43）の近傍で空気中に発生した凝縮水を受ける。
【００３０】
ドレンパン（50）は、底板部（51）と、第１側壁（56）と、第２側壁（57）と、第３側壁（58）と、第４側壁（59）とを有している。
【００３１】
底板部（51）の表面（図３における上面）は、室内熱交換器（43）に対向する底面（50a）を形成している。底面（50a）には、下方に凹んだ凹部（53）が設けられている。凹部（53）は、底板部（51）の前端寄りに位置している。凹部（53）の底面は、ドレンパン（50）の底面（50a）のうち最も低い部分である。底面（50a）は、ドレンパン（50）内の水を凹部（53）へ流すように僅かに傾斜している。底面（50a）には、凹部（53）に水を導くための溝（図示省略）が形成されている。
【００３２】
第１側壁（56）は、空気流路（33）において室内熱交換器（43）の上流側に位置している。第１側壁（56）は、底板部（51）の上流側の端縁から上方に延びている。第２側壁（57）は、室内熱交換器（43）の下流側に位置している。第２側壁（57）は、底板部（51）の下流側の端縁から上方に延びている。第１側壁（56）と第２側壁（57）とは、互いに対向している。第１側壁（56）の表面（図１および図３における左面）および第２側壁（57）の表面（図１および図３における右面）はそれぞれ、ドレンパン（50）の内方に臨む側面（50b）を形成している。
【００３３】
第３側壁（58）は、前板（23）の裏側（ケーシング（20）の内方）に位置している。第３側壁（58）は、底板部（51）の前端から上方に延びている。第３側壁（58）は、第１側壁（56）の前端と第２側壁（57）の前端とに亘るように延びている。第４側壁（59）は、後板（24）の裏側に位置している。第４側壁（59）は、底板部（51）の後端から上方に延びている。第４側壁（59）は、第１側壁（56）の後端と第２側壁（57）の後端とに亘るように延びている。第３側壁（58）の表面（図１における上面）および第４側壁（59）の表面（図１における下面）はそれぞれ、ドレンパン（50）の内方に臨む側面（50b）を形成している。
【００３４】
図３および図６において二点鎖線で示すように、第３側壁（58）には、点検窓（58a）が形成されている。点検窓（58a）の形状は、例えば矩形状である。点検窓（58a）は、透明または半透明の材料からなる。点検窓（58a）の裏側（ドレンパン（50）の内方）には、ドレンパン（50）の凹部（53）が位置している。また、点検窓（58a）の裏側には、ドレンポンプ（60）の吸込部（61）が位置している。
【００３５】
点検窓（58a）は、ケーシング（20）の開口（23a）を通じて外部に露出している。ケーシング（20）の開口（23a）と、ドレンパン（50）の点検窓（58a）および凹部（53）と、ドレンポンプ（60）の吸込部（61）とは、前板（23）の厚さ方向に見たときに互いに対応する位置関係にある。サービス業者などは、ドレンパン（50）の凹部（53）内と、ドレンポンプ（60）の吸込部（61）とを、ケーシング（20）の開口（23a）とドレンパン（50）の点検窓（58a）とを通じて外部から視認できる。
【００３６】
ドレンパン（50）は、樹脂材料からなる。ドレンパン（50）の少なくとも内表面の色は、白色である。ここでいう「白色」には、純粋な白色の他、胡粉色やスノーホワイト、生成り色、オフホワイトなどの僅かに色味の感じられる白色を含む。この「白色」としては、ＲＧＢ色空間において、Ｒ輝度、Ｇ輝度およびＢ輝度が共に２４５以上の色が好ましい。ドレンパン（50）の内表面の色の明度は、そのような白色であるから比較的高い。ドレンパン（50）の内表面には、底面（50a）と側面（50b）とが含まれている。ドレンパン（50）の内表面のうち少なくとも底面（50a）は、撮影システム（S）を構成するカメラ（70）の撮影対象である。
【００３７】
〈ドレンポンプ〉
ドレンポンプ（60）は、ドレンパン（50）の上方に配置されている。ドレンポンプ（60）は、ドレンパン（50）の内部において、第３側壁（58）の裏側（ドレンパン（50）の内方）に配置されている。ドレンポンプ（60）は、ドレンパン（50）内の水を排出するポンプである。ドレンポンプ（60）の下部には、水を吸い込む吸込部（61）が設けられている。吸込部（61）は、管体で構成されている。吸込部（61）は、ドレンパン（50）の凹部（53）の内部に配置されている。吸込部（61）の下端には、水が流入する吸水口（62）が形成されている。吸水口（62）は、凹部（53）の底面に向かって開口している。
【００３８】
ドレンポンプ（60）の上部には、排水管（63）が接続されている。排水管（63）は、ドレンポンプ（60）の吐出側に連通している。排水管（63）は、ケーシング（20）の前板（23）の上部を水平方向に貫通している。ドレンポンプ（60）が運転されると、ドレンパン（50）内に溜まった水がドレンポンプ（60）の吸込部（61）に吸い込まれる。吸込部（61）に吸い込まれた水は、ドレンポンプ（60）から吐出され、排水管（63）を通してケーシング（20）の外部へ排出される。ドレンポンプ（60）の吸込部（61）は、ドレンパン（50）の底面（50a）と共にカメラ（70）の撮影対象に含まれている。
【００３９】
〈電装品箱〉
図１に示すように、電装品箱（16）は、前板（23）のファン（40）寄りに配置されている。電装品箱（16）の内部には、プリント基板（17）が収容されている。プリント基板（17）には、電源回路、電子部品および制御回路が搭載されている。電装品箱（16）は、前側が開口する箱本体（16a）と、箱本体（16a）の開口面を開閉する電装品蓋（16b）とを備えている。電装品蓋（16b）は、前板（23）の一部を構成している。サービス業者などは、電装品蓋（16b）を取り外すことで、電装品箱（16）の内部をメンテナンス用空間（15）に露出させることができる。
【００４０】
〈撮影システム〉
撮影システム（S）は、カメラ（70）と、照明装置（72）と、制御ユニット（80）と、通信端末（90）とを備えている。カメラ（70）は、ケーシング（20）の内部に収容されている。制御ユニット（80）は、電装品箱（16）内のプリント基板（17）で構成されている。カメラ（70）と制御ユニット（80）とは、ケーブルによって接続されている。通信端末（90）は、サービス業者やユーザなどに所有される。なお、制御ユニット（80）は、プリント基板（17）とは別に電装品箱（16）の外部に配置されていてもよい。
【００４１】
カメラ（70）は、ケーシング（20）内に設けられた構成部品を撮影する撮影装置である。カメラ（70）としては、可視光を捉えて撮影する一般的なカメラが用いられる。カメラ（70）は、撮影対象の画像データを取得する。カメラ（70）の撮影対象は、ドレンパン（50）の内部である。当該撮影対象には、ドレンパン（50）の凹部（53）およびその周辺の底面（50a）と、ドレンポンプ（60）の吸込部（61）とが含まれる。カメラ（70）は、レンズ（71）を有している。レンズ（71）は、広角式または魚眼式のレンズである。
【００４２】
図５に示すように、カメラ（70）は、ステー（65）を用いて点検蓋（28）に取り付けられている。ステー（65）は、カメラ（70）を支持する支持部材である。ステー（65）は、点検蓋（28）の裏面に設けられている。ステー（65）の基端は、点検蓋（28）の裏面に溶接するなどして固定されている。カメラ（70）は、ステー（65）の先端に着脱可能に取り付けられている。カメラ（70）は、点検蓋（28）が点検口（27）に取り付けられると、第２側板（26）側の斜め下方に向く撮影姿勢とされる。
【００４３】
撮影姿勢にあるカメラ（70）のレンズ（71）は、ドレンパン（50）の内部に向けられる。レンズ（71）の光軸は、ドレンパン（50）の凹部（53）に向けられる。カメラ（70）は、ドレンパン（50）の内表面のうち少なくとも凹部（53）およびその周辺の底面（50a）を含む部位を撮影する。加えて、カメラ（70）は、ドレンポンプ（60）の吸込部（61）を撮影する。カメラ（70）の撮影により取得される画像データには、ドレンパン（50）の凹部（53）と、ドレンポンプ（60）の吸込部（61）とが含まれる。
【００４４】
照明装置（72）は、カメラ（70）と一体に設けられている。照明装置（72）は、少なくともカメラ（70）の撮影を実行するときに、撮影対象に向けて可視光を照射する。照明装置（72）の位置および角度は、カメラ（70）が撮影姿勢であるときに、可視光をドレンパン（50）およびドレンポンプ（60）の撮影部位に照射するように設定されている。照明装置（72）による可視光の照射時間（照明時間）の長さは、任意に調整できる。
【００４５】
照明装置（72）は、白色ＬＥＤである。照明装置（72）に用いられる白色ＬＥＤは、青色ＬＥＤと、黄色蛍光体とを組み合わせた方式のＬＥＤである。この方式のＬＥＤは、疑似白色ＬＥＤとも呼ばれる。照明装置（72）が撮影対象に向けて照射する可視光は、図８に示すようなスペクトル分布特性の白色光である。当該可視光は、４００ｎｍ以上且つ５００ｎｍ以下の波長域（以下「短波長域」とも称する）に最大ピーク波長を有する。
【００４６】
制御ユニット（80）は、電源部（81）、空調制御部（82）、撮影制御部（83）、照明制御部（84）、記憶部（85）および通信部（87）を備えている。空調制御部（82）、撮影制御部（83）および照明制御部（84）は、マイクロコンピュータと、マイクロコンピュータを動作させるためのソフトウェアを格納するメモリデバイスとを用いて構成されている。
【００４７】
電源部（81）は、カメラ（70）の電源を構成している。電源部（81）は、ケーブルを介してカメラ（70）に電力を供給する。電源部（81）は、照明装置（72）の電源も構成している。電源部（81）は、カメラ（70）および照明装置（72）以外の他の機器の電源に兼用されていてもよい。
【００４８】
空調制御部（82）は、空気調和装置（10）のファン（40）およびドレンポンプ（60）などの構成機器を制御する。空調制御部（82）は、空気調和装置（10）が冷房運転を開始すると、ドレンポンプ（60）を運転させる。空調制御部（82）は、冷房運転を停止すると、ドレンポンプ（60）を停止させる。冷房運転中において、ドレンポンプ（60）は、基本的に運転状態となる。
【００４９】
撮影制御部（83）は、カメラ（70）の撮影動作を制御する。撮影制御部（83）は、カメラ（70）の撮影動作について少なくとも撮影実行のタイミングを制御する。撮影制御部（83）は、通信端末（90）から受信した撮影指令に応じて、カメラ（70）に撮影を実行させるためのＯＮ信号を出力する。ＯＮ信号がカメラ（70）に入力されると、カメラ（70）が撮影を実行する。カメラ（70）が撮影を実行すると、撮影対象の画像データが取得される。この画像データは、ケーブルを介して制御ユニット（80）に入力される。
【００５０】
照明制御部（84）は、照明装置（72）の照明動作を制御する。照明制御部（84）は、照明装置（72）の照明動作について少なくとも照明実行のタイミングおよび照明時間を制御する。照明制御部（84）は、カメラ（70）の撮影を実行するときに、所定のタイミングおよび時間で可視光の照射を実行させるように、照明装置（72）を制御する。
【００５１】
記憶部（85）は、カメラ（70）の撮影により取得された画像データを記憶する。記憶部（85）は、半導体メモリなどの種々のメモリデバイスで構成され得る。記憶部（85）に記憶された画像データは、通信部（87）によりネットワーク（N）を介してクラウドサーバ（95）に送信される。クラウドサーバ（95）は、受信した画像データを記憶する。
【００５２】
通信部（87）は、ネットワーク（N）を介してクラウドサーバ（95）に接続される。通信部（87）は、例えば無線通信によってネットワーク（N）と接続される。通信部（87）とネットワーク（N）との接続には、例えば携帯高速通信技術（ＬＴＥ：Long Time Evolution）が用いられる。なお、通信部（87）は、有線でネットワーク（N）に接続されてもよい。
【００５３】
通信端末（90）は、スマートフォン、タブレット端末、携帯電話機、パーソナルコンピュータなどで構成されている。通信端末（90）は、ネットワーク（N）を介してクラウドサーバ（95）に接続される。通信部（87）とネットワーク（N）との接続には、例えば携帯高速通信技術（ＬＴＥ）が用いられる。なお、通信端末（87）は、有線でネットワーク（N）に接続されてもよい。
【００５４】
通信端末（90）は、操作部（91）および表示部（92）を有している。操作部（91）は、キーボードやタッチパネルなどで構成されている。サービス業者やユーザなどは、操作部（91）を操作することで、所定のアプリケーションソフトを操作する。このアプリケーションソフトは、ネットワーク（N）を経由して、カメラ（70）に撮影を実行させたり、撮影により取得した画像データをクラウドサーバ（95）から通信端末（90）にダウンロードしたりできる。
【００５５】
表示部（92）は、例えば液晶ディスプレイや有機ＥＬ（Electro-Luminescence）ディスプレイなどで構成されている。表示部（92）には、カメラ（70）の撮影により取得された画像データが、アプリケーションソフトの操作に応じて適宜表示される。サービス業者やユーザは、表示部（92）に表示された画像などの情報に基づいて、ドレンパン（50）の凹部（53）およびその周辺の底面（50a）の汚れの状態と、ドレンポンプ（60）の吸込部（61）の汚れの状態とを適宜把握できる。
【００５６】
撮影システム（S）を用いたドレンパン（50）の内部の汚れの状態の確認は、サービス業者やユーザによる通信端末（90）の手動操作により行われる。
【００５７】
具体的には、サービス業者やユーザが通信端末（90）を操作し、アプリケーションソフトで撮影実行のコマンドを入力する。これにより、通信端末（90）からネットワーク（N）を経由して制御ユニット（80）へと撮影指令が出力される。この撮影指令が制御ユニット（80）に入力されると、カメラ（70）の撮影が撮影制御部（83）により実行される。撮影を実行する際には、照明装置（72）が動作することにより、ドレンパン（50）の内部における撮影対象（ドレンパン（50）の凹部（53）およびその周辺の底面（50a）とドレンポンプ（60）の吸込部（61））が短波長域にピーク波長を有する可視光で照明される。このような照明環境での撮影により、サービス業者やユーザが要求するタイミングで、ドレンパン（50）の内部における撮影対象の画像データを取得できる。
【００５８】
このようにして取得された画像データはＩＤ情報（撮影した日付および時間、撮影を実行した空気調和装置（10）の機種など）と共に、通信部（87）の機能によりネットワーク（N）を介してクラウドサーバ（95）へ送信され、クラウドサーバ（95）に記憶される。サービス業者やユーザは、クラウドサーバ（95）に記憶された画像データをネットワーク（N）越しに、または通信端末（90）にダウンロードして表示部（92）で確認できる。そうすることで、サービス業者やユーザは、ドレンパン（50）の内表面およびドレンポンプ（60）の吸込部（61）の汚れの度合いや、凝縮水の腐敗、ドレンパン（50）内の水位、排水管（63）の詰まりの有無、ドレンポンプ（60）の故障の有無などを把握できる。
【００５９】
ドレンパン（50）の内表面に付く汚れは、バイオフィルムなどの、淡いピンク色や淡い茶色、淡い黄色の汚れであることが多い。これらの汚れの色調とドレンパン（50）の内表面の色調とは近い。そのため、短波長域以外の波長域（中波長域または長波長域）に最大ピーク波長を有する可視光を照射した照明環境や自然光の下で、カメラ（70）によりドレンパン（50）の内表面の撮影を行う場合、画像データにおいて汚れの特定をし難いことがある。
【００６０】
この実施形態１に係る空気調和装置（10）では、照明装置（72）が短波長域に最大ピーク波長を有する可視光を照射する照明環境で、カメラ（70）がドレンパン（50）の内表面の撮影を行う。ドレンパン（50）の内表面に付き易い淡いピンク色や淡い茶色、淡い黄色の汚れは、照明装置（72）により照射される可視光の最大ピーク波長成分を殆ど吸収する。ゆえに、カメラ（70）の撮影により取得される画像データでは、当該汚れの存在する部分の明度が当該汚れの存在しない部分の明度に比べて低くなり、当該汚れの存在する部分が相対的に濃い色になる。それにより、画像データに基づき、ドレンパン（50）の内表面の汚れの状態を特定し易くなる。
【００６１】
この実施形態１に係る空気調和装置（10）では、ドレンパン（50）の内表面の色が白色である。そのため、カメラ（70）の撮影により取得される画像データにおいて、汚れの付いていないドレンパン（50）の内表面の表面を写した部分の明度は比較的高くなる。このことで、当該画像データでは、ドレンパン（50）の内表面において淡いピンク色や淡い茶色、淡い黄色の汚れの存在する部分と、当該汚れの存在しない部分との明度の差異が顕著になる。それにより、画像データ上でドレンパン（50）の内表面に付いた汚れを際立たせることができる。
【００６２】
この実施形態１に係る空気調和装置（10）では、カメラ（70）によりドレンパン（50）の底面（50a）が撮影される。ドレンパン（50）の底面（50a）には、水が溜まり易いためバイオフィルムなどの汚れが付き易い。よって、ドレンパン（50）の底面（50a）を撮影することで、当該撮影により取得される画像データに基づき、ドレンパン（50）の内表面の汚れの状態を把握できる。
【００６３】
この実施形態１に係る空気調和装置（10）では、カメラ（70）によりドレンパン（50）の底面（50a）に設けられた凹部（53）が撮影される。凹部（53）は、ドレンパン（50）の底面（50a）のなかでも最も低い部分を形成し、水が溜まり易いためバイオフィルムなどの汚れが付き易い。よって、ドレンパン（50）の凹部（53）を撮影することで、当該撮影により取得される画像データに基づき、ドレンパン（50）の内表面の汚れの状態を把握できる。
【００６４】
この実施形態１に係る空気調和装置（10）では、カメラ（70）がドレンポンプ（60）の吸込部（61）を撮影する。バイオフィルムなどの汚れは、ドレンパン（50）の内部に配置されたドレンポンプ（60）の吸込部（61）にも付くことがある。よって、カメラ（70）の撮影対象にドレンポンプ（60）の吸込部（61）を含むことで、当該撮影により取得される画像データに基づき、ドレンポンプ（60）の吸込部（61）の汚れの状態も把握できる。
【００６５】
この実施形態１に係る空気調和装置（10）では、照明装置（72）として白色ＬＥＤを用いている。この白色ＬＥＤは、４００ｎｍ以上且つ５００ｎｍ以下の波長域に最大ピーク波長を有する白色光を発する。そのような白色光を照射した照明環境においてカメラ（70）の撮影により取得される画像データでは、ドレンパン（50）の内表面およびドレンポンプ（60）の吸込部（61）の汚れの状態について、淡いピンクや淡い茶色、淡い黄色の汚れだけでなく他の色の汚れも把握し易くなる。
【００６６】
〈変形例１〉
変形例１の撮影システム（S）では、カメラ（70）による撮影が、通信端末（90）の手動操作によって実行されるだけでなく、撮影制御部（83）によりタイマーの設定で定期的に実行される。定期的な撮影は、例えば１日に１回、所定の時刻に実行される。こうした定期的な撮影においても、通信端末（90）の手動操作による撮影と同様に、照明装置（72）が動作し、ドレンパン（50）の内部における撮影対象（ドレンパン（50）の内表面およびドレンポンプ（60）の吸込部（61））の画像データが取得される。
【００６７】
取得された画像データは、通信部（87）からクラウドサーバ（95）に送信される。クラウドサーバ（95）は、ネットワーク（N）を通じて画像データを定期的に受信する。クラウドサーバ（95）は、画像データの定期的な受信を監視する。クラウドサーバ（95）は、画像データを定期的に受信しない場合、撮影システム（S）に異常が生じたことを示す情報を通信端末（90）に送信し、当該異常をユーザに報知する。
【００６８】
〈変形例２〉
図９に示す変形例２の撮影システム（S）では、通信部（87）が無線通信によって通信端末（90）と接続される。通信部（87）と通信端末（90）との無線通信には、例えばブルートゥース（Bluetooth：登録商標）や携帯高速通信技術（ＬＴＥ）が用いられる。通信部（87）は、通信端末（90）との間で信号の送受信が可能である。
【００６９】
サービス業者やユーザが通信端末（90）を操作し、アプリケーションソフトで撮影実行のコマンドを入力すると、通信端末（90）から制御ユニット（80）へと撮影指令が送信される。撮影制御部（83）は、制御ユニット（80）での撮影指令の受信に応じて、カメラ（70）による撮影を実行する。この撮影により取得された画像データは、記憶部（85）に記憶され、通信部（87）を介して通信端末（90）に送信される。当該撮影は、撮影制御部（83）によりタイマーの設定で定期的に実行されてもよい。サービス業者やユーザは、通信端末（90）が受信した画像データを表示部（92）で確認できる。
【００７０】
《実施形態２》
実施形態２について説明する。
【００７１】
実施形態２に係る空気調和装置（10）は、上記実施形態１と基本的な構成が異なる。実施形態２の空気調和装置（10）は、室外空気を取り込み、この空気の温度および湿度を調節する。空気調和装置（10）は、処理した空気を供給空気（SA）として室内へ供給する。空気調和装置（10）は、外気処理方式である。空気調和装置（10）は、例えば冬場などにおいて、空気を加湿するための加湿器（45）を備えている。
【００７２】
空気調和装置（10）は、例えば天井裏の空間に設置される。空気調和装置（10）は、上記実施形態１と同様に、室内ユニット（11）と、室外ユニット（図示省略）とを備えている。室内ユニット（11）と室外ユニットとは、互いに冷媒配管により接続されることで、冷媒回路を構成している。
【００７３】
〈室内ユニット〉
図１０および図１１に示すように、室内ユニット（11）は、ケーシング（20）と、給気ファン（40a）と、排気ファン（40b）と、室内熱交換器（43）と、全熱交換器（44）と、加湿器（45）と、ドレンパン（50）と、電装品箱（16）、撮影システム（S）とを備えている。
【００７４】
ケーシング（20）は、直方体の中空箱形に形成されている。この実施形態２のケーシング（20）は、上記実施形態１と同様に、天板（21）、底板（22）、前板（23）、後板（24）、第１側板（25）および第２側板（26）を有している。
【００７５】
前板（23）は、メンテナンス用空間（15）に面している。前板（23）の前側には、電装品箱（16）が設けられている。前板（23）には、点検口（27）が形成されている。点検口は、加湿器（45）およびドレンパン（50）に対応する位置に形成されている。点検口（27）には、点検蓋（28）が着脱可能に取り付けられている。サービス業者などは、点検蓋（28）を取り外すことで、点検口（27）を通じてケーシング（20）の内部を視認できる。
【００７６】
第１側板（25）には、内気口（34）および給気口（35）が形成されている。内気口（34）には、内気ダクト（図示省略）が接続されている。内気ダクトの流入端は、室内空間に連通している。給気口（35）には、給気ダクト（図示省略）が接続されている。給気ダクトの流出端は、室内空間に連通している。
【００７７】
第２側板（26）には、排気口（36）および外気口（37）が形成されている。排気口（36）には、排気ダクト（図示省略）が接続されている。排気ダクトの流出端は、室外空間に連通している。外気口（37）には、外気ダクト（図示省略）が接続されている。外気ダクトの流入端は、室内空間に連通している。
【００７８】
ケーシング（20）の内部には、給気流路（33A）と、排気流路（33B）とが形成されている。給気流路（33A）は、外気口（37）から給気口（35）に至るまでの流路である。排気流路（33B）は、内気口（34）から排気口（36）に至るまでの流路である。
【００７９】
〈全熱交換器〉
全熱交換器（44）は、横長の四角柱状に形成されている。全熱交換器（44）は、例えば２種類のシートが水平方向に交互に積み重なって構成されている。２種類のシートのうち一方には、給気流路（33A）に連通する第１通路（44a）が形成されている。２種類のシートのうち他方のシートには、排気流路（33B）に連通する第２通路（44b）が形成されている。
【００８０】
２種類のシートはそれぞれ、伝熱性および吸湿性を有する材料からなる。全熱交換器（44）は、第１通路（44a）を流れる空気と、第２通路（44b）を流れる空気との間で顕熱を交換する。全熱交換器（44）は、第１通路（44a）を流れる空気と、第２通路（44b）を流れる空気との間で潜熱を交換する。
【００８１】
〈給気ファン〉
給気ファン（40a）は、給気流路（33A）に配置されている。厳密には、給気ファン（40a）は、給気流路（33A）において、全熱交換器（44）の第１通路（44a）と室内熱交換器（43）との間に配置されている。給気ファン（40a）は、給気流路（33A）の空気を送風する。
【００８２】
〈排気ファン〉
排気ファン（40b）は、排気流路（33B）に配置されている。厳密には、排気ファン（40b）は、排気流路（33B）において、全熱交換器（44）の第２通路（44b）の下流側に配置されている。排気ファン（40b）は、排気流路（33B）の空気を送風する。
【００８３】
〈室内熱交換器〉
室内熱交換器（43）は、給気流路（33A）における前板（23）寄りに配置されている。室内熱交換器（43）は、例えばファンアンドチューブ式の熱交換器である。
【００８４】
〈加湿器〉
加湿器（45）は、給気流路（33A）における前板（23）寄りに配置されている。加湿器（45）は、給気流路（33A）における室内熱交換器（43）の下流側に配置されている。図１２に示すように、加湿器（45）は、上下に延び且つ水平方向に配列される複数の吸水部材（45a）（いわゆる加湿エレメント）を備えている。吸水部材（45a）には、給水タンク（図示省略）からの水が供給される。加湿器（45）では、吸水部材（45a）の周囲を流れる空気中に、蒸発した水が付与される。これにより、給気流路（33A）を流れる空気が加湿される。
【００８５】
〈ドレンパン〉
図１１に示すように、ドレンパン（50）は、加湿器（45）の下方に配置されている。ドレンパン（50）は、加湿器（45）から流出した水を受ける。ドレンパン（50）の下部には、排水口（68）が形成されている（図９参照）。ドレンパン（50）は、ステンレスなどの金属材料からなる。ドレンパン（50）の表面の色は、銀色である。ドレンパン（50）の底面（50a）は、加湿器（45）の吸水部材（45a）と共にカメラ（70）の撮影対象である。
【００８６】
〈電装品箱〉
図１０に示すように、電装品箱（16）は、前板（23）の前面における略中央部に設けられている。電装品箱（16）の内部には、上記実施形態１と同様な電装品が収容されている。
【００８７】
〈撮影システム〉
撮影システム（S）は、カメラ（70）と、照明装置（72）と、制御ユニット（80）と、通信端末（90）とを備えている。カメラ（70）は、ケーシング（20）の内部に収容されている。制御ユニット（80）は、電装品箱（16）内のプリント基板（17）で構成されている。カメラ（70）と制御ユニット（80）とは、ケーブルによって接続されている。通信端末（90）は、サービス業者やユーザなどに所有される。
【００８８】
カメラ（70）は、ステー（65）を用いて点検蓋（28）に取り付けられている。ステー（65）は、点検蓋（28）の裏面に設けられている。ステー（65）の基端は、点検蓋（28）の裏面に溶接するなどして固定されている。カメラ（70）は、ステー（65）の先端に着脱可能に取り付けられている。カメラ（70）は、点検蓋（28）が点検口（27）に取り付けられると、第２側板（26）側の斜め下方に向く撮影姿勢とされる。
【００８９】
カメラ（70）は、レンズ（71）を有している。撮影姿勢にあるカメラ（70）のレンズ（71）は、ドレンパン（50）の内部に向けられる。カメラ（70）は、ドレンパン（50）の内表面のうち少なくとも底面（50a）を撮影する。加えて、カメラ（70）は、加湿器（45）の吸水部材（45a）を撮影する。カメラ（70）の撮影により取得される画像データには、ドレンパン（50）の底面（50a）と、加湿器（45）の吸水部材（45a）とが含まれる。
【００９０】
照明装置（72）は、カメラ（70）と一体に設けられている。照明装置（72）は、少なくともカメラ（70）の撮影を実行するときに、撮影対象に向けて可視光を照射する。照明装置（72）の位置および角度は、カメラ（70）が撮影姿勢であるときに、ドレンパン（50）および加湿器（45）の撮影部位に可視光を照射するように設定されている。照明装置（72）は、上記実施形態１と同様の白色ＬＥＤである。照明装置（72）は、４００ｎｍ以上且つ５００ｎｍ以下の波長域（短波長域）に最大ピーク波長を有する可視光を照射する。
【００９１】
制御ユニット（80）および通信端末（90）は、上記実施形態１の撮影システム（S）と同様に構成されている。
【００９２】
この実施形態２の空気調和装置（10）では、上記実施形態１と同様に、照明装置（72）が短波長域に最大ピーク波長を有する可視光を照射した照明環境で、カメラ（70）がドレンパン（50）の内表面の撮影を行う。このような撮影により取得される画像データでは、淡いピンク色や淡い茶色、淡い黄色の汚れの存在する部分の明度が当該汚れの存在しない部分の明度に比べて低くなり、当該汚れの存在する部分が相対的に濃い色になる。したがって、カメラ（70）の撮影により取得される画像データに基づき、ドレンパン（50）の表面の汚れの状態を特定し易くなる。
【００９３】
この実施形態２に係る空気調和装置（10）では、カメラ（70）が加湿器（45）の吸水部材（45a）を撮影する。吸水部材（45a）には、ミネラルなどの析出と菌の繁殖により、淡い黄色の汚れが付き易い。こうした吸水部材（45a）に付く淡い黄色の汚れも、照明装置（72）により照射される可視光の最大ピーク波長成分を殆ど吸収する。よって、撮影により取得される画像データでは、当該汚れの存在する部分が相対的に濃い色になる。これによれば、画像データに基づき、ドレンパン（50）の内表面の汚れの状態と合わせて吸水部材（45a）の汚れの状態も把握できる。
【００９４】
《実施形態３》
実施形態３について説明する。
【００９５】
実施形態３に係る空気処理装置は、天井吊り式または天井埋め込み式の空気調和装置（10）である。空気調和装置（10）は、室内ユニット（11）と、室外ユニット（図示省略）とを備えている。室内ユニット（11）と室外ユニットとは、冷媒配管により互いに接続されることで、冷媒回路を構成している。室内ユニット（11）は、天井裏に設置される。
【００９６】
図１３に示すように、室内ユニット（11）は、ケーシング（20）を備えている。ケーシング（20）は、ケーシング本体（20a）と、パネル（100）とを有している。ケーシング本体（20a）は、下側に開口面が形成された矩形箱状に形成されている。パネル（100）は、ケーシング本体（20a）の開口面に着脱可能に設けられている。パネル（100）は、矩形枠状のパネル本体（101）と、パネル本体（101）の中央に設けられた吸込グリル（102）とを有している。
【００９７】
パネル本体（101）の中央には、１つの吸込口（31）が形成されている。吸込グリル（102）は、吸込口（31）に取り付けられている。パネル本体（101）の４つの側縁部にはそれぞれ、吹出口（32）が１つずつ形成されている。吹出口（32）は、パネル本体（101）の４つの側縁部に沿うように延びている。各吹出口（32）の内部には、風向調節羽根（103）が設けられている。
【００９８】
ケーシング本体（20a）の内部には、ベルマウス（104）と、ファン（40）と、室内熱交換器（43）と、ドレンパン（50）とが設けられている。ベルマウス（104）およびファン（40）は、吸込グリル（102）の上方に配置されている。室内熱交換器（43）は、ファン（40）の周囲を囲むように配置されている。室内熱交換器（43）は、フィンアンドチューブ式の熱交換器である。ドレンパン（50）は、室内熱交換器（43）の下側に配置されている。
【００９９】
カメラ（70）のレンズ（71）は、ドレンパン（50）の内部を向いている。カメラ（70）は、ドレンパン（50）の内表面のうち少なくとも底面（50a）を撮影する。撮影システム（S）についてその他の構成は、図示しない制御ユニットおよび通信端末を含め、上記実施形態１と同様である。この実施形態３により得られる効果は、上記実施形態１や２と同じく、カメラ（70）の撮影により取得される画像データに基づき、ドレンパン（50）の内表面の汚れの状態を特定し易くなる、という効果である。
【０１００】
《その他の実施形態》
上記実施形態については、以下のような構成としてもよい。
【０１０１】
撮影対象であるトレイは、水を受ける部品であれば、ドレンパン（50）以外の部品であってもよい。トレイは、加湿用の給水タンクの下側に設置される水受けであってもよい。水受けには、給水タンク内の水が供給される。水受け内の水は、空気の加湿に利用される。給水タンクおよび水受けは、例えば空気清浄機や調湿装置に搭載される。
【０１０２】
照明装置（72）は、カメラ（70）と別体に設けられていてもよい。
【０１０３】
照明装置（72）に用いられる白色ＬＥＤは、赤色ＬＥＤ、緑色ＬＥＤおよび青色ＬＥＤを組み合わせた方式のＬＥＤであってもよい。この場合、青色ＬＥＤの発光強度を赤色ＬＥＤおよび緑色ＬＥＤの発光強度よりも高くしたり、フィルタを用いて５００ｎｍよりも長波長側の光を減衰させたりして、短波長域に最大ピーク波長を有する可視光を照射するようにしてもよい。
【０１０４】
照明装置（72）は、短波長域の青色光を発する青色ＬＥＤであってもよい。要は、照明装置（72）は、４００ｎｍ以上且つ５００ｎｍ以下の波長域に最大ピーク波長を有する可視光を照射可能であればよい。
【０１０５】
空気処理装置は、空気が流れるケーシングを有する装置であれば、他の装置であってもよい。空気処理装置は、対象空間の空気の湿度を調節する調湿装置であってもよい。空気処理装置は、対象空間を換気する換気装置であってもよい。空気処理装置は、対象空間の空気を浄化する空気清浄機であってもよい。
【０１０６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１０７】
以上説明したように、本開示は、空気処理装置について有用である。
【符号の説明】
【０１０８】
S   撮影システム
RA   室内空気
SA   供給空気
10   空気調和装置（空気処理装置）
11   室内ユニット
15   メンテナンス用空間
16   電装品箱
16a  箱本体
16b  電装品蓋
17   プリント基板
20   ケーシング
20a  ケーシング本体
21   天板
22   底板
23   前板
23a  開口
24   後板
25   第１側板
26   第２側板
27   点検口
28   点検蓋
31   吸込口
32   吹出口
33   空気流路
40   ファン
41   回転軸
42   モータ
43   室内熱交換器
44   全熱交換器
45   加湿器
45a  吸水部材
50   ドレンパン（トレイ）
50a  底面
50b  側面
51   底板部
53   凹部
56   第１側板
57   第２側板
58   第３側板
58a  点検窓
59   第４側板
60   ドレンポンプ
61   吸込部
62   吸水口
63   排水管
65   ステー
70   カメラ（撮影装置）
71   レンズ
72   照明装置
80   制御ユニット
81   電源部
82   空調制御部
83   撮影制御部
84   照明制御部
85   記憶部
87   通信部
90   通信端末
95   クラウドサーバ
100  パネル
101  パネル本体
102  吸込グリル
103  風向調節羽根
104  ベルマウス
【図１】
0006891927.tif 000002
【図２】
0006891927.tif 000003
【図３】
0006891927.tif 000004
【図４】
0006891927.tif 000005
【図５】
0006891927.tif 000006
【図６】
0006891927.tif 000007
【図７】
0006891927.tif 000008
【図８】
0006891927.tif 000009
【図９】
0006891927.tif 000010
【図１０】
0006891927.tif 000011
【図１１】
0006891927.tif 000012
【図１２】
0006891927.tif 000013
【図１３】
0006891927.tif 000014